(57)【要約】【課題】取り外さなければ収納する事ができなかった、シャッター装置の、シャッター柱を軽く持ち上げるだけで，簡単にスライド収納ができる。【解決手段】シャッター装置外箱１のシャッター板引き込み口側の内側に、レール付きシャッター柱ガイド溝２を取りつけ、その，レール付きシャッター柱ガイド溝２を利用して自由にスライド移動できるローラ付きシャッター柱７を装着する。【選択図】　　　図１
2004003239.tif 000002
【特許請求の範囲】
【請求項１】
シャッター装置外箱のシャッター板引き込み側に、断面が略凹形状長尺溝の垂直部内側両面にレールを付設し、その略凹形状長尺溝の開口部の反対側に、シャッター板引き込み口を設けた略凹形状長尺のレール付きシャッター柱ガイド溝の開口部を下向に取りつける．前記、シャッター柱ガイド溝に、シャッター柱の上方両側面に略対角線上にローラを取り付けた、ローラ付きシャッター柱を装着したことを特徴とするシャッター柱スライド収納装置。
【請求項２】
請求項１記載のレール付きシャッター柱ガイド溝に、レールの、ある位置に垂直のスリット溝を設け、その上方に略への字状のシャッター柱誘導板を設けた、ローラ付きシャッター柱のローラ配置パターン認識装置を取り付けた，請求項１記載のシャッター柱スライド収納装置。
【請求項３】
前記、レール付きシャッター柱ガイド溝に、レール部分を切りとったシャッター柱差し込み口を取り付けた、請求項１，請求項２、記載のシャッター柱スライド収納装置
【０００１】
【発明の詳細な説明】
【０００１】
【発明の属する技術分野】
本発明はシャッター柱収納装置に関する。
【０００２】
【従来の技術】
従来、シャッター装置は何種類も考案されすでに一般化し技術も確立したものとなっている。しかしいずれもシャッター柱は差し込み式でありシャッター柱の収納方法は旧態依然で取り外さなければならず利用者の多くは不便を感じている。
【０００３】
また取り外したシャッター柱の収納場所の問題や、そのシャッター柱が倒れないように紐などで縛らなければならない等の問題も多い。このようなシャッター柱の収納方法は安全性にかけ危険を伴うばかりか美観の面でも、あまり好ましくない。またシャッター柱そのものが重量であり特に高齢者だけの世帯または女性だけの職場ではシャッター柱の収納作業がやはり行いにくいという問題がある。
【０００４】
そこで前記、従来のシャッター柱の収納方法には強く改善が求められているが、しかしこれまでこれに変わる収納方法又はシャッター柱収納装置はいまだに作られていない。
【０００５】
【発明が解決しようとする課題】
前記、従来のシャッター装置これには次のような構造上の問題点がある。従来のシャッター装置のシャッター柱７はいずれも差し込み式、図４，図５、であり構造上シャッター柱７の上端はシャッター板下部にある逆Ｔ字型かかり止部６より上の方にあり、交差しているので、シャッター板５と同一線上でのシャッター柱７の水平移動は不可能である。よってシャッター柱７を収納する時は取り外さなければならないという問題点があった。
【０００６】
本発明は、これらの問題点を取り除き簡単で安全なシャッター柱収納装置を提供することを目的としている。
【０００７】
【課題を解決するための手段】
上記目的を達成するために、本発明のシャッター柱スライド収納装置においては、シャッター装置外箱１のシャッター板引き込み側に断面が略凹型状長尺のレールつきシャッター柱ガイド溝２の開口部を下向に取り付けシャッター板下部にある逆Ｔ字型かかり止部６をシャッター柱ガイド溝２の中に納めシャッター柱７をそれより低くする事でシャッター板５とシャッター柱７が交差することなく同一線上での水平移動を可能にした。そして、その、レール付きシャッター柱ガイド溝２を利用して自由にスライド移動できるローラ付きシャッター柱７を装着する。
【０００８】
上記レール付きシャッター柱ガイド溝２を取り付ける位置はシャッター装置外箱１のシャッター板引き込み側の内側、図６がよいが後記する理由により外側に取りつける事が効果的な場合もある。
【０００９】
前記、本発明のレール付きシャッター柱ガイド溝２は既設の従来のシャッター装置に取り付けることができるこの場合は、図７示すように外箱の外側に取り付けるほうが簡単で早い。
【００１０】
上記、ローラ付きシャッター柱７をスムーズに収納先へスライド移動ができるように，シャッター柱パターン認識装置１８をレール付きシャッター柱ガイド溝２に取り付ける。
【００１１】
上記、シャッター柱パターン認識装置１８は、シャッター柱が複数になる場合に取りつける物であり，シャッター柱７が単数の場合は特に取り付ける必要はない。
【００１２】
【発明の実施の形態】
本発明の実施の形態を実施例にもとづき図面を参照して説明する。
図６において、シャッター装置外箱１のシャッター板引き込み側の内側にレール付きシャッター柱ガイド溝２の開口部を下向に取りつける。そして、シャッター板のかかり止部６をレール付きシャッター柱ガイド溝２のシャッター板引き込み口３のかかり位置１９に収め、そのレール付きシャッター柱ガイド溝２を利用して自由にスライド移動できるローラ付きシャッター柱７を装着する。
【００１３】
図７に示される実施例では、シャッター装置外箱１のシャッター板引き込み側の外側にレール付きシャッター柱ガイド溝２の開口部を下向に取りつけて、シャッター板かかり止部６をレール付きシャッター柱ガイド溝２のシャッター板引き込み口３のかかり位置１９内に収め，そのレール付きシャッター柱ガイド溝２を利用して自由にスライド移動できるローラ付きシャッター柱７を装着する。
【００１４】
上記，レール付きシャッター柱ガイド溝２の内側両面に２段ずつ付設されているレール４は，１段にする事もできる。
【００１５】
図２に示される実施例では、シャッター柱７に取りつけるローラ８は上方両側面にマークされているローラ取りつけ位置マーク９に従いネジ込み、または，圧着か溶接等で取りつける。
【００１６】
上記、ローラ８は略対角線状に取り付けるほうが最も効果的であるが、強度面の技術が克服できれば片面でもよい。また、ローラ８も片面につき１個以上あればよい、この場合にも反対側に対して略対角線上に取り付ける方が効果的である、また、本発明のローラ付きシャッター柱７のローラ８は滑りの良い合成樹脂や他の物に替えることもできる。
【００１７】
前記、ローラ付きシャッター柱７のローラ８取りつけ位置は、上方側面だけではなく下の方にも取り付けることができる。
【００１８】
図１０に示される実施例では、レール付きシャッター柱ガイド溝２のシャッター柱をロックする位置上にシャッター柱のローラ配置パターン認識装置１７をネジ、または、圧着か溶接等で取りつける。
【００１９】
上記、ローラ付きシャッター柱のローラ配置パターン認識装置はシャッター柱が単数の場合は特に考える事はない．しかしシャッター柱が複数になると本発明のパターン認識装置がなければローラ付きシャッター柱はスムーズにスライド移動する事はできない．理由はこうである。ローラ付きシャッター柱がシャッター柱のローラ配置パターン認識装置上を通過しようとする時パターンが同じであればローラ付きシャッター柱はパターン認識装置に落ちてしまう、換言すれば、シャッター柱は、所定の位置にロックされた状態になりそこを通過する事はできないローラ付きシャッター柱のローラ配置パターンとパターン認識装置のパターン変えることで、問題を解決した。つまり、パターンを一致させるか変えることで、前記、ローラ付きシャッター柱をセット位置にロックするか，または、通過させるかを自由に選択できる。
【００２０】
図示してないがシャッター柱の裏側にも表側と同じパターンでローラが取り付けてある。
図１０において、シャッター柱収納のプロセスを想像図をもとに、順序をおって説明する。（イ）前記、シャッター柱のロックピン１２を引き上げると、シャッター柱はそれに伴い持ち上げられて、（ロ）シャッター柱のローラ配置パターン認識装置１８内のレール４上方に設けられたシャッター柱誘導板１０によりシャッター柱は右側に送り出されレール４の上にのる。（ハ）あとは、シャッター柱を軽く押すだけで収納先へスライド移動できる。
【００２１】
図１１において、ローラ付きシャッター柱のローラ配置パターンとシャッター柱パターン認識装置のパターンの実施例として、Ｐ１，Ｐ２，Ｐ３，Ｐ４，の四例を表示してあるが、シャッター柱の上方両側面にマークされているローラ取りつけ位置マークに従い片側又は両側に取りつけるローラの配置パターンを変えることで何とおりにもできる。
【００２２】
図１２、において、シャッター柱の右側平行収納の一例を示した立面図である。前記、シャッター柱の収納は右側だけでなく、左右どちら側にでもできる。また，両側に振り分ける事もできる
【００２３】
図１３、において、シャッター柱の屋内収納例を示した立面図である。この場合も屋内または屋外のどちら側にもできる。また、両側に振り分けてもよい。
【００２４】
【発明の効果】
本発明は，以上説明したように構成されているので、以下に記載されるような効果を奏する。
【００２５】
レール付きシャッター柱ガイド溝を取りつける事により、シャッター柱を取り外さなくても、シャッター柱を安全で簡単にスライド収納する事ができる。
【００２６】
そして、前記、レール付きシャッター柱ガイド溝にシャッター柱パターン認識装置を取りつける事により、複数のシャッター柱を任意に操作する事ができる。
【００２７】
また、シャッター柱パターン認識装置の一つである、シャッター柱差込口をレール付きシャッター柱ガイド溝に取り付ける事によりシャッター柱が自在に脱着可能となりメンテナンスが容易にできる。
【００２８】
上記、シャッター柱差込口を、取りつける位置は、レール付きシャッター柱ガイド溝の適当な個所とする事が可能であるが，特にシャッター柱収納先の反対側に取り付けることが効果的である。理由は，本装置は、シャッター柱のメンテナンスいがいに使用する事はないので、右側収納の場合は最初のシャッター柱パターン認識装置の左側の適当な位置，左側収納の場合はその反対、また、両側に振り分けて収納する時は、その中間に取り付ける方がよい、つまり、シャッター柱がスライド移動する必要ない場所であればよい。また，本装置は、シャッター柱のローラ配置パターンに関係なく共通である。
【００２９】
シャッター柱の上方両側面に略対角線上にローラを取り付ける事で，いかなる場合でもシャッター柱は、前後左右にたいしてバランスよく，換言すれば、シャッター柱が傾くことなくスライド移動できる。いかなる場合とは、パターンの違うシャッター柱パターン認識装置上を通過する場合をさす。
【００３０】
また，本発明のシャッター柱スライド収納装置は、シャッター柱が作動状態の場合は、シャッター柱はフローアより浮き上がってスライド移動するので、下側つまりフローアには、何の工事もする必要がない。
【図面の簡単な説明】
【図１】本発明実施の概略正面図である。
【図２】シャッター柱にローラを取り付けた斜視図である。
【図３】同じく正面図である。
【図４】従来のシャッター装置の縦断面図である。
【図５】同じく正面図である。
【図６】レール付きシャッター柱ガイド溝を装置外箱の内側に取り付けた実施例の縦断面図である。
【図７】レール付きシャッター柱ガイド溝を装置外箱の外側に取り付けた縦断面図である。
【図８】ローラ付きシャッター柱をフローアのセット位置にロックした状態を示した縦断面図である。
【図９】ローラ付きシャッター柱がレール上に乗った作動状態を示す縦断面図である。
【図１０】ローラ付きシャッター柱をレールにのせるプロセスとスライド移動の状態をを示した想像図である。
【図１１】ローラ付きシャッター柱のローラ配置パターンとシャッター柱パターン認識装置のパターン例を示した図である。
【図１２】ローラ付きシャッター柱，平面収納例の立面図である。
【図１３】ローラ付きシャッター柱，屋内収納例の立面図である。
【図１４】ローラ付きシャッター柱差込口と、シャッター柱パタン認識装置の実施例を示した図である。
【符号の説明】
１　　シャッター装置外箱
２　　レール付きシャッター柱ガイド溝
３　　シャッター板引き込み口
４　　レール
５　　シャッター板
６　　シャッター板かかり止部
７　　シャッター柱
８　　ローラ
９　　ローラ取り付け位置マーク
１０　シャッター柱誘導板
１１　スリット溝
１２　ロックピン
１３　ストッパー
１４　シャッター板巻き取り軸
１５　構築物
１６　フローア
１７　シャッター柱差し込口
１８　シャッター柱パターン認識装置
１９　シャッター板かかり位置
【図１】
2004003239.tif 000003
【図２】
2004003239.tif 000004
【図３】
2004003239.tif 000005
【図４】
2004003239.tif 000006
【図５】
2004003239.tif 000007
【図６】
2004003239.tif 000008
【図７】
2004003239.tif 000009
【図８】
2004003239.tif 000010
【図９】
2004003239.tif 000011
【図１０】
2004003239.tif 000012
【図１１】
2004003239.tif 000013
【図１２】
2004003239.tif 000014
【図１３】
2004003239.tif 000015
【図１４】
2004003239.tif 000016
【手続補正書】
【提出日】平成14年8月7日(2002.8.7)
【手続補正１】
【補正対象書類名】明細書
【補正対象項目名】特許請求の範囲
【補正方法】変更
【補正の内容】
【特許請求の範囲】
【請求項１】
シャッター装置外箱のシャッター板引き込み側に、断面が略凹形状長尺溝の垂直部内側両面にレールを付設し、その略凹形状長尺溝の開口部の反対側に、シャッター板引き込み口を設けた略凹形状長尺のレール付きシャッター柱ガイド溝の開口部を下向に取りつける．前記、シャッター柱ガイド溝に、シャッター柱の上方両側面に略対角線上にローラを取り付けた、ローラ付きシャッター柱を装着したことを特徴とするシャッター柱スライド収納装置。
【請求項２】
請求項１記載のレール付きシャッター柱ガイド溝に、レールの、ある位置に垂直のスリット溝を設け、その上方に略への字状のシャッター柱誘導板を設けた、ローラ付きシャッター柱のローラ配置パターン認識装置を取り付けた，請求項１記載のシャッター柱スライド収納装置。
【請求項３】
前記、レール付きシャッター柱ガイド溝に、レール部分を切りとったシャッター柱差し込み口を取り付けた、請求項１，請求項２、記載のシャッター柱スライド収納装置
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明はシャッター柱収納装置に関する。
【０００２】
【従来の技術】
従来、シャッター装置は何種類も考案されすでに一般化し技術も確立したものとなっている。しかしいずれもシャッター柱は差し込み式でありシャッター柱の収納方法は旧態依然で取り外さなければならず利用者の多くは不便を感じている。
【０００３】
また取り外したシャッター柱の収納場所の問題や、そのシャッター柱が倒れないように紐などで縛らなければならない等の問題も多い。このようなシャッター柱の収納方法は安全性にかけ危険を伴うばかりか美観の面でも、あまり好ましくない。またシャッター柱そのものが重量であり特に高齢者だけの世帯または女性だけの職場ではシャッター柱の収納作業がやはり行いにくいという問題がある。
【０００４】
そこで前記、従来のシャッター柱の収納方法には強く改善が求められているが、しかしこれまでこれに変わる収納方法又はシャッター柱収納装置はいまだに作られていない。
【０００５】
【発明が解決しようとする課題】
前記、従来のシャッター装置これには次のような構造上の問題点がある。従来のシャッター装置のシャッター柱７はいずれも差し込み式、図４，図５、であり構造上シャッター柱７の上端はシャッター板下部にある逆Ｔ字型かかり止部６より上の方にあり、交差しているので、シャッター板５と同一線上でのシャッター柱７の水平移動は不可能である。よってシャッター柱７を収納する時は取り外さなければならないという問題点があった。
【０００６】
本発明は、これらの問題点を取り除き簡単で安全なシャッター柱収納装置を提供することを目的としている。
【０００７】
【課題を解決するための手段】
上記目的を達成するために、本発明のシャッター柱スライド収納装置においては、シャッター装置外箱１のシャッター板引き込み側に断面が略凹型状長尺のレールつきシャッター柱ガイド溝２の開口部を下向に取り付けシャッター板下部にある逆Ｔ字型かかり止部６をシャッター柱ガイド溝２の中に納めシャッター柱７をそれより低くする事でシャッター板５とシャッター柱７が交差することなく同一線上での水平移動を可能にした。そして、その、レール付きシャッター柱ガイド溝２を利用して自由にスライド移動できるローラ付きシャッター柱７を装着する。
【０００８】
上記レール付きシャッター柱ガイド溝２を取り付ける位置はシャッター装置外箱１のシャッター板引き込み側の内側、図６がよいが後記する理由により外側に取りつける事が効果的な場合もある。
【０００９】
前記、本発明のレール付きシャッター柱ガイド溝２は既設の従来のシャッター装置に取り付けることができるこの場合は、図７示すように外箱の外側に取り付けるほうが簡単で早い。
【００１０】
上記、ローラ付きシャッター柱７をスムーズに収納先へスライド移動ができるように，シャッター柱パターン認識装置１８をレール付きシャッター柱ガイド溝２に取り付ける。
【００１１】
上記、シャッター柱パターン認識装置１８は、シャッター柱が複数になる場合に取りつける物であり，シャッター柱７が単数の場合は特に取り付ける必要はない。
【００１２】
【発明の実施の形態】
本発明の実施の形態を実施例にもとづき図面を参照して説明する。
図６において、シャッター装置外箱１のシャッター板引き込み側の内側にレール付きシャッター柱ガイド溝２の開口部を下向に取りつける。そして、シャッター板のかかり止部６をレール付きシャッター柱ガイド溝２のシャッター板引き込み口３のかかり位置１９に収め、そのレール付きシャッター柱ガイド溝２を利用して自由にスライド移動できるローラ付きシャッター柱７を装着する。
【００１３】
図７に示される実施例では、シャッター装置外箱１のシャッター板引き込み側の外側にレール付きシャッター柱ガイド溝２の開口部を下向に取りつけて、シャッター板かかり止部６をレール付きシャッター柱ガイド溝２のシャッター板引き込み口３のかかり位置１９内に収め，そのレール付きシャッター柱ガイド溝２を利用して自由にスライド移動できるローラ付きシャッター柱７を装着する。
【００１４】
上記，レール付きシャッター柱ガイド溝２の内側両面に２段ずつ付設されているレール４は，１段にする事もできる。
【００１５】
図２に示される実施例では、シャッター柱７に取りつけるローラ８は上方両側面にマークされているローラ取りつけ位置マーク９に従いネジ込み、または，圧着か溶接等で取りつける。
【００１６】
上記、ローラ８は略対角線状に取り付けるほうが最も効果的であるが、強度面の技術が克服できれば片面でもよい。また、ローラ８も片面につき１個以上あればよい、この場合にも反対側に対して略対角線上に取り付ける方が効果的である、また、本発明のローラ付きシャッター柱７のローラ８は滑りの良い合成樹脂や他の物に替えることもできる。
【００１７】
前記、ローラ付きシャッター柱７のローラ８取りつけ位置は、上方側面だけではなく下の方にも取り付けることができる。
【００１８】
図１０に示される実施例では、レール付きシャッター柱ガイド溝２のシャッター柱をロックする位置上にシャッター柱のローラ配置パターン認識装置１７をネジ、または、圧着か溶接等で取りつける。
【００１９】
上記、ローラ付きシャッター柱のローラ配置パターン認識装置はシャッター柱が単数の場合は特に考える事はない．しかしシャッター柱が複数になると本発明のパターン認識装置がなければローラ付きシャッター柱はスムーズにスライド移動する事はできない．理由はこうである。ローラ付きシャッター柱がシャッター柱のローラ配置パターン認識装置上を通過しようとする時パターンが同じであればローラ付きシャッター柱はパターン認識装置に落ちてしまう、換言すれば、シャッター柱は、所定の位置にロックされた状態になりそこを通過する事はできないローラ付きシャッター柱のローラ配置パターンとパターン認識装置のパターン変えることで、問題を解決した。つまり、パターンを一致させるか変えることで、前記、ローラ付きシャッター柱をセット位置にロックするか，または、通過させるかを自由に選択できる。
【００２０】
図示してないがシャッター柱の裏側にも表側と同じパターンでローラが取り付けてある。
図１０において、シャッター柱収納のプロセスを想像図をもとに、順序をおって説明する。（イ）前記、シャッター柱のロックピン１２を引き上げると、シャッター柱はそれに伴い持ち上げられて、（ロ）シャッター柱のローラ配置パターン認識装置１８内のレール４上方に設けられたシャッター柱誘導板１０によりシャッター柱は右側に送り出されレール４の上にのる。（ハ）あとは、シャッター柱を軽く押すだけで収納先へスライド移動できる。
【００２１】
図１１において、ローラ付きシャッター柱のローラ配置パターンとシャッター柱パターン認識装置のパターンの実施例として、Ｐ１，Ｐ２，Ｐ３，Ｐ４，の四例を表示してあるが、シャッター柱の上方両側面にマークされているローラ取りつけ位置マークに従い片側又は両側に取りつけるローラの配置パターンを変えることで何とおりにもできる。
【００２２】
図１２、において、シャッター柱の右側平行収納の一例を示した立面図である。前記、シャッター柱の収納は右側だけでなく、左右どちら側にでもできる。また，両側に振り分ける事もできる
【００２３】
図１３、において、シャッター柱の屋内収納例を示した立面図である。この場合も屋内または屋外のどちら側にもできる。また、両側に振り分けてもよい。
【００２４】
【発明の効果】
本発明は，以上説明したように構成されているので、以下に記載されるような効果を奏する。
【００２５】
レール付きシャッター柱ガイド溝を取りつける事により、シャッター柱を取り外さなくても、シャッター柱を安全で簡単にスライド収納する事ができる。
【００２６】
そして、前記、レール付きシャッター柱ガイド溝にシャッター柱パターン認識装置を取りつける事により、複数のシャッター柱を任意に操作する事ができる。
【００２７】
また、シャッター柱パターン認識装置の一つである、シャッター柱差込口をレール付きシャッター柱ガイド溝に取り付ける事によりシャッター柱が自在に脱着可能となりメンテナンスが容易にできる。
【００２８】
上記、シャッター柱差込口を、取りつける位置は、レール付きシャッター柱ガイド溝の適当な個所とする事が可能であるが，特にシャッター柱収納先の反対側に取り付けることが効果的である。理由は，本装量は、シャッター柱のメンテナンスいがいに使用する事はないので、右側収納の場合は最初のシャッター柱パターン認識装置の左側の適当な位置，左側収納の場合はその反対、また、両側に振り分けて収納する時は、その中間に取り付ける方がよい、つまり、シャッター柱がスライド移動する必要ない場所であればよい。また，本装置は、シャッター柱のローラ配置パターンに関係なく共通である。
【００２９】
シャッター柱の上方両側面に略対角線上にローラを取り付ける事で，いかなる場合でもシャッター柱は、前後左右にたいしてバランスよく，換言すれば、シャッター柱が傾くことなくスライド移動できる。いかなる場合とは、パターンの違うシャッター柱パターン認識装置上を通過する場合をさす。
【００３０】
また，本発明のシャッター柱スライド収納装置は、シャッター柱が作動状態の場合は、シャッター柱はフローアより浮き上がってスライド移動するので、下側つまりフローアには、何の工事もする必要がない。